(57)【要約】【課題】撮影画像を簡単な操作で暗号化して、他人による撮影画像の閲覧を制限可能な画像記録装置を提供する。【解決手段】シャッターボタン２１の操作に応じて被写体を撮像して画像データを生成する撮像手段１１と、前記画像データを暗号化する暗号化手段１４と、撮像手段１１あるいは暗号化手段１４から出力される前記画像データを記録する記録手段１３と、記録手段１３へ出力する前記画像データを撮像手段１１からの画像データと暗号化手段１４からの暗号化された画像データとで切り替える制御手段２０とを有し、シャッターボタン２１は、操作者を認識するための認識情報を検出する検出手段を有し、制御手段２０は、前記検出手段での検出結果に基づいて記録手段１３へ出力する画像データを切り替える構成とした。【選択図】  図１
2007288383.tif 000002
【特許請求の範囲】
【請求項１】
シャッターボタンと、
前記シャッターボタンの操作に応じて被写体を撮像して画像データを生成する撮像手段と、
前記画像データを暗号化する暗号化手段と、
前記撮像手段あるいは前記暗号化手段から出力される前記画像データを記録する記録手段と、
前記記録手段へ出力する前記画像データを前記撮像手段からの画像データと前記暗号化手段からの暗号化された画像データとで切り替える制御手段とを有し、
前記シャッターボタンは、操作者を認識するための認識情報を検出する検出手段を有し、前記制御手段は、前記検出手段での検出結果に基づいて前記記録手段へ出力する画像データを切り替えることを特徴とする画像記録装置。
【請求項２】
請求項１に記載の画像記録装置において、
前記検出手段により検出された前記認識情報に対応する暗号化の鍵データを生成して保持する鍵生成手段を有することを特徴とする画像記録装置。
【請求項３】
請求項２に記載の画像記録装置において、
前記制御手段は、前記検出手段で検出された前記認識情報に対応する前記鍵データが保持されている場合は、その鍵データを前記暗号化手段に出力し、前記暗号化手段は、前記制御手段からの前記鍵データに基づいて前記画像データを暗号化することを特徴とする画像記録装置。
【請求項４】
請求項２に記載の画像記録装置において、
前記記録手段に記録された暗号化された画像データを復号化して出力する暗号復号化手段を有し、
前記制御手段は、前記検出手段から前記認識情報を入力し、その認識情報に対応する前記鍵データが保持されている場合は、その鍵データを前記暗号複合化手段に出力し、前記暗号復号化手段は、前記制御手段からの前記鍵データに基づいて前記暗号化された画像データを復号化することを特徴とする画像記録装置。
【発明の詳細な説明】
【技術分野】
【０００１】
本発明は、暗号化して画像を記録する画像記録装置に関する。
【背景技術】
【０００２】
従来、デジタルカメラ等の画像記録装置では、撮影した画像をその画像記録装置に設けられた記録媒体に蓄積し、それらの画像をパソコンなどの他の機器に転送したり、記録媒体から直接画像を参照して表示できるような構成を有している（特許文献１参照）。
【特許文献１】特開２００４−９６３２９号公報
【発明の開示】
【発明が解決しようとする課題】
【０００３】
この種の画像記録装置では、記録媒体に蓄積された撮影画像を、撮影者が他人に見られたくない場合が想定される。
本発明は、撮影画像を簡単な操作で暗号化して、他人による撮影画像の閲覧を制限可能な画像記録装置を提供することを目的とする。
【課題を解決するための手段】
【０００４】
上記課題の解決のため本発明の画像記録装置は、
シャッターボタンと、
前記シャッターボタンの操作に応じて被写体を撮像して画像データを生成する撮像手段と、
前記画像データを暗号化する暗号化手段と、
前記撮像手段あるいは前記暗号化手段から出力される前記画像データを記録する記録手段と、
前記記録手段へ出力する前記画像データを前記撮像手段からの画像データと前記暗号化手段からの暗号化された画像データとで切り替える制御手段とを有し、
前記シャッターボタンは、操作者を認識するための認識情報を検出する検出手段を有し、前記制御手段は、前記検出手段での検出結果に基づいて前記記録手段へ出力する画像データを切り替えることを特徴とする。
【発明の効果】
【０００５】
本発明によれば、簡単な操作で撮影画像を暗号化でき、他人による撮影画像の閲覧を制限することができる。
【発明を実施するための最良の形態】
【０００６】
図１は、本発明の一実施形態による画像記録装置の構成を示すブロック図である。図１は、画像記録装置１０がパソコン２６とケーブルを介して接続された状態を示している。撮像部１１は、撮影光学系、ＣＣＤ（撮像素子）により構成され、撮影光学系によって被写体像がＣＣＤの撮像面に結像される。そして、制御部２０からのレリーズ信号が入力されると、被写体像に対応する電気信号（画像信号）がデジタル符号化器１２に出力される。
【０００７】
デジタル符号化器１２は、撮像部１２からの画像信号をデジタル化し、デジタル化された画像データに対して適宜圧縮処理を行い、記録部１３のフラッシュメモリ等の蓄積メディアに画像データを記録する。記録部１３に記録された画像データは、デジタル復号化器１８で復号され、復号された画像は表示部１９に表示可能である。表示部１９により画像が表示されることにより、操作者により画像の閲覧がなされる。また、記録部１３から、外部に設置されたパソコン２６などに画像データを転送することができる。
【０００８】
シャッター／個人認証部２１は、シャッターボタンと指紋、静脈などを利用した個人識別用センサとを一体化したものである。例えば、シャッターボタンの指が接触する部分に指紋センサを設けることにより、指紋センサで得られた操作者の指紋情報を制御部２０によって保持することができる。操作者が登録スイッチ２２を押し、シャッター／個人認証部２１をさらに押すことによって、個人識別が行われ、制御部２０によって、その操作者に対応した暗号化用の鍵を示すデータ（以下、単に鍵という）が作成される。
【０００９】
暗号化器１４は、制御部２０に保持された鍵によりデジタル符号化器１２から出力される画像データを暗号化して記録部１３に記録することができる。スイッチ２５は、暗号化スイッチ２４を押すことにより切り替えが可能である。暗号化スイッチ２４が押されると、その状態を監視している制御部２０はスイッチ２５を制御し、その結果スイッチ２５は端子ａ側に接続され、暗号化モードとなり、暗号化器１４において、デジタル符号化器１２からの画像データを暗号化して記録可能となる。このとき、スイッチ１５は制御部２０によって端子ｂ側に接続されるように切り替えられる。
【００１０】
暗号復号化器１６は、暗号化されて記録部１３に記録された画像データを読み出して、制御部２０に保持された鍵により暗号化された画像データを復号し、その画像データをデジタル復号化器１８に出力して画像を表示部１９に表示させたり、その画像データを外部のパソコン２６に転送することができる。このとき、スイッチ１７は、制御部２０によって、端子ｂ側に接続されるように切り替えられる。
【００１１】
解除スイッチ２３は、暗号化モードを解除するためのスイッチである。解除スイッチ２３が押されると、制御部２０はスイッチ２５を端子ｂ側に切り替え、スイッチ１５、スイッチ１７は端子ａ側に切り替える。
【００１２】
以上のように構成された画像記録装置の動作について説明する。
まず、操作者の情報を画像記録装置に登録する際の動作について説明する。図２は、操作者の情報を登録する際の制御部２０の動作を示すフローチャートである。まず、制御部２０は、登録スイッチ２２が押されたかどうかを監視している（ステップＳ２０１）。そして、登録スイッチ２２が押されたら、次はシャッター／個人認証部２１のシャッターボタンが押されるのを待つ（ステップＳ２０２）。押されない場合は、時間経過を確認し（ステップＳ２０３）、所定時間が経過した場合は、操作者がシャッターボタンを押す操作をするのをやめたと判断して、ステップＳ２０１へ戻る。シャッターボタンが押された場合は、シャッターボタンに設けられた指紋センサにより、個人識別情報である指紋情報を得る（ステップＳ２０４）。この個人識別情報は、制御部２０に保持される。次に、得られた個人識別情報に対応した暗号化のための鍵データを生成する（ステップＳ２０５）。この鍵データは、個人識別情報と関連付けられて制御部２０に保持される。
【００１３】
以上のようにして、操作者の個人識別情報とそれに対応する鍵が生成され、制御部２０に保持される。以上のような登録スイッチ２２とシャッターボタンによる操作を複数の操作者が行うことによって、それぞれの操作者に対応した個人識別情報が得られ、それに対応した鍵が生成され、保持される。
【００１４】
次に、撮影時の動作について説明する。本画像記録装置には、撮影モードと表示モードという２つの動作モードを切り替えることができる。さらに、撮影モード時に暗号化スイッチが押されることにより、スイッチ２５が端子ａ側に接続され、暗号化モードとなる。制御部２０はそれ以降撮影操作が行われたときに図３のフローチャートに基づいた動作を行う。
【００１５】
図３は、撮影モード時に撮影操作が行われたときの制御部２０の動作を示すフローチャートである。まず、制御部２０は、シャッター／個人認証部２１のシャッターボタンが押されるのを監視している（ステップＳ３０１）。そして、シャッターボタンが押されたら、撮像部１１へレリーズ信号を出力する（ステップＳ３０２）。撮像部１１は、このレリーズ信号をトリガにして画像信号を出力する。次に、シャッターボタンに設けられた指紋センサにより、個人識別情報である指紋情報を得る（ステップＳ３０３）。そして、制御部２０は、今得られた個人識別情報と同一の個人識別情報がすでに保持されているかを調べる（ステップＳ３０４）。すでに保持されていれば、その保持された個人識別情報に対応する鍵データを暗号化器１４に出力し（ステップＳ３０５）、スイッチ１５を端子ｂ側に切り替える（ステップＳ３０６）。この結果、撮像部１１からデジタル符号化器１２を介して出力される画像データは、暗号化器１４に入力され、暗号化器１４では、制御部２０から送られた鍵に基づいて画像データを暗号化して出力する。暗号化された画像データはスイッチ１５の端子ｂを経由して記録部１３に出力される。制御部２０は、記録部１３を制御して、暗号化された画像データを記録部１３の蓄積メディアに記録する（ステップＳ３０７）。以上のようにして、撮像された画像データが暗号化されて記録される。制御部２０は、暗号化された画像データの記録処理が正常に終了した場合、音を出力するか、または表示部１９に正常に暗号化されたことを示すメッセージを表示する。
【００１６】
ステップＳ３０４で、得られた個人識別情報が保持されていない場合は、スイッチ１５を端子ａ側に接続する（ステップＳ３０８）。この結果、撮像部１１からデジタル符号化器１２を介して出力される画像データは、スイッチ１５の端子ａを経由して記録部１３に出力される。デジタル符号化器１２からの画像データは、スイッチ２５の端子ａを経由して暗号化器１４にも入力されるが、スイッチ１５が端子ｂに接続されていないので、暗号化された画像データは記録部１３には出力されない。制御部２０は、記録部１３を制御して、デジタル符号化器１２から出力された画像データを記録部１３の蓄積メディアに記録する（ステップＳ３０７）。このように、撮影時に得られた個人識別情報が、制御部２０にて予め保持されていない場合は、撮像された画像データが、暗号化されずに記録される。
【００１７】
なお、撮影モード時で、暗号化スイッチ２４が押されないとき、あるいは暗号化スイッチ２４が押された後解除スイッチ２３が押されたときは、制御部２０は、スイッチ２５を端子ｂ側に、スイッチ１５を端子ａに接続した状態にするので、シャッターボタンが押され、撮像部１１へレリーズ信号が出力された後は、デジタル符号化器１２からの画像データはスイッチ１５の端子ａを介して記録部１３に入力されて記録されることになる。この場合は、画像データは暗号化されずに記録されることになる。
【００１８】
次に、表示モードでの動作について説明する。図４は、表示モードにおいて、記録部１３に記録された画像データを読み出して表示部１９に画像表示する場合の、制御部２０での動作を示すフローチャートである。図４において、まず、制御部２０は、表示すべき画像データを記録部１３から読み出す（ステップＳ４０１）。そして、画像データのヘッダー部分を読み込むことで、その画像データが暗号化されているか否かを判断する（ステップＳ４０２）。暗号化されていなければ、スイッチ１７を端子ａ側に接続する（ステップＳ４０３）。そして、記録部１３を制御してその画像データを出力させる（ステップＳ４０９）。その結果、画像データはスイッチ１７の端子ａを介して、外部のパソコン（接続されている場合）に転送されるか、またはデジタル復号器１８に出力される。デジタル復号化器１８に入力された画像データは、表示部１９で画像表示可能な画像信号に変換され出力される。表示部１９では、その画像信号に基づいて画像を表示する。
【００１９】
ステップＳ４０２で、読み出した画像データが暗号化されていると判断された場合は、、表示部１９にシャッター／個人認証部２１のシャッターボタンの押下を促すメッセージを出力し、シャッターボタンが押されるのを待つ（ステップＳ４０４）。シャッターボタンが押されると、シャッターボタンに設けられた指紋センサにより、個人識別情報である指紋情報を得る（ステップＳ４０５）。そして、制御部２０は、今得られた個人識別情報と同一の個人識別情報がすでに保持されているかを調べる（ステップＳ４０６）。すでに保持されていれば、その保持された個人識別情報に対応する鍵データを暗号復号化器１６に出力し（ステップＳ４０７）、スイッチ１７を端子ｂ側に切り替える（ステップＳ４０８）。そして、記録部１３を制御してその画像データを出力させる（ステップＳ４０９）。その結果、画像データは暗号復号化器１８で暗号復号され、暗号復号された画像データはスイッチ１７の端子ｂを介して、外部のパソコンあるいはデジタル復号器１８に出力される。前述と同様に、デジタル復号化器１８に入力された画像データは、表示部１９で画像表示可能な画像信号に変換され出力される。表示部１９では、その画像信号に基づいて画像を表示する。
【００２０】
ステップＳ４０６で得られた個人識別情報が保持されていない場合は、制御部２０は、記録部１３から画像データを出力する制御を行わず、表示部１９に画像表示／転送が不可能である旨のメッセージを表示させる（ステップS４１０）。
【００２１】
以上のようにして、表示モードにおいては、暗号化された画像データに対しては、シャッターボタンにより個人識別情報を入力し、その個人識別情報がすでに保持されている個人識別情報と一致しない場合は、表示部１９に画像表示しないし、外部にも転送しないので、特定の人以外は画像が見られないようにできる。
【００２２】
画像データの暗号化は、撮影時だけでなく、撮影した後でも行うことができる。装置を表示モードにするとスイッチ２５は端子ｂ側に接続される。そして、暗号化したい画像を表示部１９に表示させ、暗号化スイッチ２４を押す。その後、シャッターボタンを押すことにより、制御部２０は記録部１３を制御し、表示している画像データを暗号化器１４へ出力させる。その後は、図３のステップＳ３０３以降と同様の処理を行うことにより、記録部１３に記録されていいる画像データの暗号化を行うことができる。このような表示モードでの暗号化処理は、撮影時にシャッター／個人認証部２１のセンサに誤認識があって撮影時に画像データの暗号化ができなかった場合に、撮影後に暗号化を行いたい場合などに有効である。
【００２３】
本実施形態では、シャッター／個人認証部２１に指紋センサを設けることとしたが、個人識別情報は指紋以外にも、静脈なども用いることができ、静脈を読み取るセンサを用いてもよい。
【図面の簡単な説明】
【００２４】
【図１】本発明の一実施形態による画像記録装置の構成を示すブロック図である。
【図２】操作者の情報を登録する際の制御部２０の動作を示すフローチャートである。
【図３】撮影モード時に撮影操作が行われたときの制御部２０の動作を示すフローチャートである。
【図４】表示モードにおいて、記録部１３に記録された画像データを読み出して表示部１９に画像表示する場合の、制御部２０での動作を示すフローチャートである。
【符号の説明】
【００２５】
１０：画像記録装置
１１：撮像部
１２：デジタル符号化器
１３：記録部
１４：暗号化器
１５、１７、２５：スイッチ
１６：暗号復号化器
１８：デジタル復号化器
１９：表示部
２０：制御部
２１：シャッター／個人認証部
２２：登録スイッチ
２３：解除スイッチ
２４：暗号化スイッチ
２６：パソコン
【図１】
2007288383.tif 000003
【図２】
2007288383.tif 000004
【図３】
2007288383.tif 000005
【図４】
2007288383.tif 000006